(57)【要約】【課題】この発明は安価で、簡単な構成とすることができるようにした背上げ式のベッド装置を提供することにある。【解決手段】パイプ材によって形成されベッドフレーム１に固定される固定部６及びこの固定部に回動可能に連結された背上げ部７を有する載置フレーム５と、屈曲可能に形成され載置フレームに保持されるとともに上面にマットレスが載置される簾の子と、背上げ部の幅方向両側のパイプ材に上記載置フレームの長手方向に沿って一体的に設けられた一対のガイドレール３４と、ベッドフレームに設けられ駆動部１９及び起伏駆動されるとともに背上げ部の一対のガイドレールに対向する一対の背上げアーム３２を有する背上げ機構１８と、一対の背上げアームに回転可能に設けられ背上げアームが起上方向に駆動されることでガイドレールを押圧して背上げ部を起上させるローラ３３とを具備する。【選択図】　　図２
2004000444.tif 000002
【特許請求の範囲】
【請求項１】
ベッドフレームと、
少なくとも幅方向両側がパイプ材によって形成され上記ベッドフレームに固定される固定部及びこの固定部に回動可能に連結された背上げ部を有する載置フレームと、
この配置フレームに設けられ上面にマットレスが載置される載置部材と、
上記背上げ部の幅方向両側のパイプ材に上記載置フレームの長手方向に沿って一体的に設けられた一対のガイドレールと、
上記ベッドフレームに設けられ駆動部及びこの駆動部によって起伏駆動されるとともに上記背上げ部の一対のガイドレールに対向する一対の背上げアームを有する背上げ機構と、
上記一対の背上げアームに回転可能に設けられこの背上げアームが起上方向に駆動されることで上記ガイドレールを押圧して上記背上げ部を起上させるローラと
を具備したことを特徴とするベッド装置。
【請求項２】
上記載置フレームは、上記固定部と上記背上げ部との間にこれら固定部と背上げ部とに一端と他端とをそれぞれ回動可能に連結して設けられた腰上げ部を有し、上記背上げアームには長手方向に沿って所定間隔で離間した一対のローラが設けられ、
上記ガイドレールには、上記ローラがガイドレールから離反するのを制限する保持部材が設けられていることを特徴とする請求項１記載のベッド装置。
【請求項３】
上記載置部材は、所定間隔で配設される複数の帯板と、この帯板の両端部に嵌着された袋部材と、隣り合う袋部材を回動可能に連結した連結部材とによって屈曲可能に構成された簾の子であることを特徴とする請求項１記載のベッド装置。
【請求項４】
上記簾の子の上記袋部材と上記連結部材との少なくとも袋部材には、この簾の子を上記載置フレームに弾性的に保持する弾性片が一体的に設けられていることを特徴とする請求項３記載のベッド装置。
【請求項５】
上記載置部材は、上記載置フレームに取付けられた網状部材であることを特徴とする請求項１記載のベッド装置。
【請求項６】
上記帯板は、合成樹脂によって上方に向かって凸状に湾曲形成されていることを特徴とする請求項３記載のベッド装置。
【請求項７】
上記ガイドレールはパイプ材からなり、上記ローラには外周面に上記ガイドレールに係合する断面円弧状のガイド溝が形成されていることを特徴とする請求項１記載のベッド装置。
【請求項８】
上記載置フレームは、上記ベッドフレームとほぼ同じ幅寸法に形成され、上記ガイドレールは上記背上げ部の幅方向両端よりも所定寸法幅方向内方に設けられていることを特徴とする請求項１記載のベッド装置。
【請求項９】
上記載置フレームは、上記ベッドフレームよりも幅寸法が小さく形成され、上記背上げ部を形成する幅方向両側のパイプ材が上記ローラによって押圧されるガイドレールを兼ねていることを特徴とする請求項１記載のベッド装置。
【請求項１０】
上記ベッドフレームは矩形枠状に形成された外装体内に収容され、このベッドフレームは一端を上記外装体に係合させ他端を上記ベッドフレームに係合させた吊り具によって吊持されていることを特徴とする請求項１記載のベッド装置。
【請求項１１】
上記背上げ部の幅方向両側に位置するパイプ材には、このパイプ材の軸方向に沿って所定間隔で一対のブラケットの一端が固着され、これらブラケットの上記背上げ部の幅方向内方に突出した他端には上記ガイドレールの両端部が固着されていることを特徴とする請求項１記載のベッド装置。
【請求項１２】
上記載置フレームの背上げ部は上記ベッドフレームに固定された固定部に直接回動可能に連結されていて、上記背上げアームには上記ガイドレールを押圧して背上げ部を起上させるためのローラが１つだけ設けられていることを特徴とする請求項１記載のベッド装置。
【請求項１３】
上記ベッドフレームに回動可能に設けられ上記背上げアームの回動に連動するとともに下降方向に回動するときにその回動が阻止されることで上方へ変位する検知部材と、この検知部材の変位によって作動するスイッチとを備えていることを特徴とする請求項１記載のベッド装置。
【発明の詳細な説明】
【０００１】
【発明の属する技術分野】
この発明はマットレス上に仰臥した利用者の上半身を起こすことができる、いわゆる背上げ式のベッド装置に関する。
【０００２】
【従来の技術】
病人や老人などのように自力で起き上がることができない利用者には、床板の一部を起伏駆動することができるようにした、いわゆる背上げ式のベッド装置が利用されている。背上げ式のベッド装置は、ベッドフレームを有し、このベッドフレームには床板体が設けられている。床板体は複数の床部に分割され、そのうちの１つは上記ベッドフレームに固定される固定部となっている。この固定部の一側には利用者の上半身に対応する背上げ部が回動可能に連結されている。背上げ部は、上記ベッドフレームに設けられた背上げ機構によって起伏駆動される。
【０００３】
なお、固定部の他側には、脚上げ部を回動可能に連結し、この脚上げ部を背上げ部と連動して上昇させて脚部を持ち上げることで、上半身を起こした利用者の臀部が前方へずれ難いようにすることもあるが、脚上げ部を設けず、固定部の長さを延長した構成にすることもある。
【０００４】
上記背上げ機構はアームを有し、このアームは駆動源によって回動させられるようになっている。アームの先端部にはローラが設けられ、このローラは上記背上げ部の下面に設けられたガイドレールに当接する。したがって、上記アームを起立方向に駆動すれば、ローラがガイドレールを介して上記背上げ部を押し上げるから、この背上げ部を起立させることができるようになっている。
【０００５】
従来、上記床板体の固定部や背上げ部などは、合成樹脂をブロー成形して矩形板状に形成されていた。しかしながら、固定部や背上げ部などを合成樹脂によって矩形板状にブロー成形するには、これらを成形するためにかなり大きな金型が必要となるばかりか、その金型を用いるための成形装置も大型化することになるから、コストの大幅な上昇を招くということがあった。
【０００６】
【発明が解決しようとする課題】
このように、固定部や背上げ部などが合成樹脂をブロー成形して矩形板状に形成される従来の背上げ式のベッド装置では、成形用の金型やその金型を用いる成形装置が大型化するため、上記固定部や背上げ部などのコストが上昇するということがあった。
【０００７】
この発明は、固定部や背上げ部などを安価に、しかも簡単な構成で容易に製造することができるようにしたベッド装置を提供することにある。
【０００８】
【課題を解決するための手段】
この発明は、ベッドフレームと、
少なくとも幅方向両側がパイプ材によって形成され上記ベッドフレームに固定される固定部及びこの固定部に回動可能に連結された背上げ部を有する載置フレームと、
この配置フレームに設けられ上面にマットレスが載置される載置部材と、
上記背上げ部の幅方向両側のパイプ材に上記載置フレームの長手方向に沿って一体的に設けられた一対のガイドレールと、
上記ベッドフレームに設けられ駆動部及びこの駆動部によって起伏駆動されるとともに上記背上げ部の一対のガイドレールに対向する一対の背上げアームを有する背上げ機構と、
上記一対の背上げアームに回転可能に設けられこの背上げアームが起上方向に駆動されることで上記ガイドレールを押圧して上記背上げ部を起上させるローラと
を具備したことを特徴とするベッド装置にある。
【０００９】
上記載置フレームは、上記固定部と上記背上げ部との間にこれら固定部と背上げ部とに一端と他端とをそれぞれ回動可能に連結して設けられた腰上げ部を有し、上記背上げアームには長手方向に沿って所定間隔で離間した一対のローラが設けられ、
上記ガイドレールには、上記ローラがガイドレールから離反するのを制限する保持部材が設けられていることを特徴とする請求項１記載のベッド装置にある。
【００１０】
請求項３の発明は、上記載置部材は、所定間隔で配設される複数の帯板と、この帯板の両端部に嵌着された袋部材と、隣り合う袋部材を回動可能に連結した連結部材とによって屈曲可能に構成された簾の子であることが好ましい。
【００１１】
上記簾の子の上記袋部材と上記連結部材との少なくとも袋部材には、この簾の子を上記載置フレームに弾性的に保持する弾性片が一体的に設けられていることが好ましい。
【００１２】
上記載置部材は、上記載置フレームに取付けられた網状部材であることが好ましい。
【００１３】
上記帯板は、合成樹脂によって上方に向かって凸状に湾曲形成されていることが好ましい。
【００１４】
上記ガイドレールはパイプ材からなり、上記ローラには外周面に上記ガイドレールに係合する断面円弧状のガイド溝が形成されていることが好ましい。
【００１５】
上記載置フレームは、上記ベッドフレームとほぼ同じ幅寸法に形成され、上記ガイドレールは上記背上げ部の幅方向両端よりも所定寸法幅方向内方に設けられていることが好ましい。
【００１６】
上記載置フレームは、上記ベッドフレームよりも幅寸法が小さく形成され、上記背上げ部を形成する幅方向両側のパイプ材が上記ローラによって押圧されるガイドレールを兼ねていることが好ましい。
【００１７】
上記ベッドフレームは矩形枠状に形成された外装体内に収容され、このベッドフレームは一端を上記外装体に係合させ他端を上記ベッドフレームに係合させた吊り具によって吊持されていることが好ましい。
【００１８】
上記背上げ部の幅方向両側に位置するパイプ材には、このパイプ材の軸方向に沿って所定間隔で一対のブラケットの一端が固着され、これらブラケットの上記背上げ部の幅方向内方に突出した他端には上記ガイドレールの両端部が固着されていることが好ましい。
【００１９】
上記載置フレームの背上げ部は上記ベッドフレームに固定された固定部に直接回動可能に連結されていて、上記背上げアームには上記ガイドレールを押圧して背上げ部を起上させるためのローラが１つだけ設けられていることが好ましい。
【００２０】
上記ベッドフレームに回動可能に設けられ上記背上げアームの回動に連動するとともに下降方向に回動するときにその回動が阻止されることで上方へ変位する検知部材と、この検知部材の変位によって作動するスイッチとを備えていることが好ましい。
【００２１】
この発明によれば、ベッドフレームに固定される固定部と固定部に回動可能に連結される背上げ部とを有する載置フレームをパイプ材によって形成するようにしたから、安価で簡単な構成とすることができる。
【００２２】
【発明の実施の形態】
以下、図面を参照しながらこの発明の実施の形態を説明する。
【００２３】
図１乃至図１６はこの発明の第１の実施の形態を示す。図１と図２に示すように、この発明のベッド装置はベッドフレーム１を備えている。このベッドフレーム１は縦桟２と横桟３とによって矩形枠状に形成され、その四隅部下面にはそれぞれ脚４が設けられている。
【００２４】
上記ベッドフレーム１の上面には、このベッドフレーム１と幅寸法及び長さ寸法がほぼ同じに形成された載置フレーム５が設けられる。この載置フレーム５は一対のパイプ材からなる固定部６を有する。この固定部６を形成するパイプ材の一端には、腰上げ部７を形成する一対のパイプ材の一端が枢着され、このパイプ材の他端には背上げ部８を形成する一対のパイプ材の一端が枢着されている。背上げ部８のパイプ材の他端はアングル材からなる連結部材９によって連結されている。なお、背上げ部８はパイプ材をほぼコ字状に曲成することで形成するようにしてもよい。
【００２５】
上記固定部６の一対のパイプ材の他端には、第１の脚上げ部１１を形成する一対のパイプ材の一端が枢着されている。このパイプ材の他端には、パイプ材をコ字状に曲成した第２の脚上げ部１２の両端が枢着されている。つまり、載置フレーム５は背上げ部８の連結部材９を除く部分が全てパイプ材によって形成されるとともに、これらパイプ材が互いに回動可能に連結された５つの部分によって構成されている。
【００２６】
なお、載置フレーム５の５つの部分、つまり固定部、６、腰上げ部７、背上げ部８、第１の脚上げ部１１及び第２の脚上げ部１２少なくとも幅方向両側がパイプ材によって形成されていればよく、たとえば上記５つの部分はパイプ材によって矩形枠状に形成しても差し支えない。
【００２７】
上記固定部６、腰上げ部７、背上げ部８、第１の脚上げ部１１及び第２の脚上げ部１２の５つの部分の幅方向内側には、それぞれアングル材からなる受け部材１３が一辺を固着して設けられている。上記固定部６のパイプ材は上記ベッドフレーム１の縦桟２の長手方向中央部分の上面にねじ止め固定される。
【００２８】
上記腰上げ部７、上記背上げ部８、上記第１の脚上げ部１１及び第２の脚上げ部１２の一対の受け部材１３にはそれぞれブラケット１５が固着されている。一対のブラケット１５には載置フレーム５の幅方向に沿う補強杆１６が両端を固着して架設されている。なお、第１の脚上げ部１１の受け部材１３には長手方向一端と他端とにそれぞれ２組の上記ブラケット１５が固着され、各一対のブラケット１５にそれぞれ補強杆１６が架設されている。
【００２９】
上記載置フレーム５は、上記ベッドフレーム１に設けられた背上げ機構１８によって腰上げ部７、背上げ部８、第１、第２の脚上げ部１１，１２が起伏駆動されるようになっている。
【００３０】
図２に示すように、上記背上げ機構１８は駆動部１９を有する。この駆動部１９は動力伝達機構（図示せず）が内蔵された箱形状をなしていて、その一側面には上記動力伝達機構を駆動する駆動源２１が設けられている。
【００３１】
上記駆動部１９の長手方向一端部にはベッドフレーム１の幅方向に沿う第１の回転軸２２が設けられ、他端部には第２の回転軸２３が設けられている。各回転軸２２，２３の両端部は、上記ベッドフレーム１の縦桟２の内面に設けられた受け部２４に回転可能に支持されている。
【００３２】
上記受け部２４は、図９に示すようにサイドブラケット２５を有する。このサイドブラケット２５は板材を断面形状がほぼコ字状に曲成してなり、ベッドフレーム１の幅方向内方へ膨出した膨出部２６を有する。この膨出部２６にはその上面と側面とに開放した係合部２７が形成されている。
【００３３】
上記係合部２７にはＵ字状の軸受部２８ａが形成されたブッシュ部材２８が係着される。つまり、ブッシュ部材２８の裏面側には上記軸受部２８ａに沿って鍔２９が設けられ、この鍔２９を上記係合部２７に係合させることで、上記ブッシュ部材２８が上記膨出部２６に取付けられている。そして、ブッシュ部材２８の軸受部２８ａに上記第１、第２の回転軸２２，２３の端部が回転可能に支持されている。
【００３４】
上記軸受部２８ａに支持された上記各回転軸２２，２３の端部は、上記膨出部２６の上面に弾性的に装着されるクリップ３１によって上記軸受部２８ａから外れるのが阻止されている。それによって、上記背上げ機構１８が上記ベッドフレーム１に取付けられている。
【００３５】
上記背上げ機構１８の第１の回転軸２２の両端部にはそれぞれ背上げアームとしての一対の第１のアーム３２の基端部が固着されている。図２に示すうように、一対の第１のアーム３２の先端部の外面には、アーム３２の長手方向に所定の間隔で離間した一対の第１のローラ３３が回転可能に取付けられている。第１のローラ３３の外周面は、断面形状が半円形状の凹曲面からなるガイド溝３３ａに形成されている。
【００３６】
一対の第１のアーム３２に設けられた各一対の第１のローラ３３は、上記載置フレーム５の背上げ部８の幅方向両端部にそれぞれ設けられた第１のガイドレール３４に接触する。上記第１のガイドレール３４は所定長さのパイプ材からなり、その一端を背上げ部８を構成する連結部材９に固着し、他端を背上げ部８の受け部材１３に一端を固着したブラケット１５の他端に固着している。
【００３７】
それによって、一対の第１のガイドレール３４は、上記背上げ部８の幅方向両端よりも所定寸法内方に、上記載置フレーム５の長手方向に沿って設けられている。上記第１のローラ３３の外周面がガイド溝３３ａに形成されていることで、第１のローラ３３は上記第１のガイドレール３４に係合するから、これらの接触状態が確実に維持される。
【００３８】
図４に示すように、上記第１のガイドレール３４には、丸棒をほぼコ字状に折曲した保持部材３５が取付けられる。この保持部材３５の両端部にはねじが形成され、上記ガイドレール３４には保持部材３５の両端部を挿通する通孔３４ａが穿設されている。
【００３９】
上記保持部材３５は、両端部を上記通孔３４ａに上記ガイドレール３４の下方、つまり第１のローラ３３が接触する方向から挿入し、ガイドレール３４の上面側に突出した両端部に袋ナット３６を螺合することで、このガイドレール３４に取付けられ、上記第１のローラ３３のガイド溝３３ａに係合する。
【００４０】
つまり、背上げ部８に設けられたガイドレール３４には第１のアーム３２に所定間隔で設けられた一対の第１のローラ３３が接触し、しかも保持部材３５によって上記ガイドレール３４から離反することがないよう保持されている。
【００４１】
それによって、背上げ部８を上昇方向に回動させたとき、この背上げ部８の上端に図１に矢印Ａで示す倒伏方向の荷重が加わっても、ガイドレール３４が第１のアーム３２に所定間隔で設けられ保持部材３５によって保持された一対の第１のローラ３３に接触していることで、倒伏方向に回動するのが阻止される。
【００４２】
すなわち、上記背上げ部８は、この背上げ部８ととともに回動する腰上げ部７を介して固定部６に連結されているため、背上げ部８が所定の角度で起立した状態で、その上端に矢印Ａで示す方向の荷重が加わると、腰上げ部７を回動させながら後方へ倒れる虞がある。
【００４３】
しかしながら、上述したように、第１のアーム３２に所定間隔で一対の第１のローラ３３を設け、これらローラ３３が第１のガイドレール３４から離反しないよう保持部材３５によって保持した。そのため、所定の角度で起立した上記背上げ部８の上端に図１に矢印Ａで示す方向の荷重が加わっても、この背上げ部８が後方へ回動することがない。
【００４４】
上記第２の回転軸２３の両端部にはそれぞれ第２のアーム３７の基端部が固着されている。第２のアーム３７の先端部の外面には外周面が凹曲面からなるガイド溝３８ａに形成された第２のローラ３８が回転可能に設けられている。
【００４５】
上記第２のローラ３８は上記第１の脚上げ部１１の幅方向両端部に、幅方向両端よりも所定寸法内方に設けられた一対の第２のガイドレール３９に転接するようになっている。上記第２のガイドレール３９はパイプ材からなり、第１の脚上げ部１１の両側内方に設けられた受け部材１３に一端を固着した一対のブラケット１５の他端に固着されている。したがって、第２のローラ３８も上記第２のガイドレール３８に係合し、接触状態が外れるのが防止されている。
【００４６】
上記ベッドフレーム１の第２の脚上げ部１２側の一端部には、支持リンク４１の一端が縦桟２の内面に枢着されている。この支持リンク４１の他端は上記第２の脚上げ部１２の端部下面に枢着される。
【００４７】
上記背上げ機構１８の駆動源２１を作動して第１の回転軸２２と第２の回転軸２３とを回転駆動し、各回転軸２２，２３に設けられた第１のアーム３２と第２のアーム３７とを起上方向に回動させれば、第１のローラ３３が第１のガイドレール３４を介して背上げ部８を起立方向に押し上げ、第２のローラ３８が第２のガイドレール３９を介して第１の脚上げ部１１を上昇方向に押し上げる。
【００４８】
図３に示すように、上記背上げ部８が起立方向に回動すると、この回動に腰上げ部７が連動して回動し、上記第１の脚上げ部１１の起立方向に回動すると、この動きに第２の脚上げ部１２の一端が連動する。この第２の脚上げ部１２の他端は支持リンク４１によってベッドフレーム１に支持されているから、ほぼ水平に上昇した状態で保持される。つまり、第１の脚上げ部１１と第２の脚上げ部１２とはほぼへの字状に屈曲する。
【００４９】
上記第１の回転軸２２の回転は動力切換え機構６１によって上記第２の回転軸２３に選択的に伝達できるようになっている。この動力切換え機構６１は図１１乃至図１２に示すように断面コ字状をなし、内部を挿入部６２ａとした第１のリンク６２を有する。この第１のリンク６２の一端は上記第１の回転軸２２の一端部に設けられたブラケット６３に回転自在に枢着されている。
【００５０】
上記第１のリンク６２の他端部にはその両側壁を貫通した貫通孔６４が穿設されているとともに、この貫通孔６４の周囲には長溝６５ａと周方向に９０度の間隔で一対の係合孔６５ｂとが形成されている。上記長溝６５ａは、第１のリンク６２の一側壁と他側壁とで上上記貫通孔６４の周方向に９０度角度をずらして形成され、上記係合孔６５ｂは同じ位置に形成されている。
【００５１】
上記第１のリンク６２の挿入部６２ａには、一端部を上記第２の回転軸２３の一端部にブラケット６３を介して枢着された第２のリンク６６の他端部が挿入されている。この第２のリンク６６の他端部にはスライド孔６７が長手方向に沿って形成されている。このスライド孔６７の一端部には大径部６７ａが形成されている。
【００５２】
なお、第１のリンク６２の一側壁には挿入部６２ａに挿入された第１のリンク６６の他端部が下方へ抜出するのを阻止する折曲片６２ｂが形成されている。
【００５３】
上記第１のリンク６２と第２のリンク６６は断面形状が扁平に形成されたコマ６８によって連結されている。つまり、上記コマ６８は上記第１のリンク６２の貫通孔６４と、第２のリンク６６のスライド孔６７とに跨がって挿通されている。このコマ６８の短い方の径は上記スライド孔６７の幅寸法よりもわずかに小さく設定され、長い方の径は上記大径部６７ａの幅寸法とほぼ同じに設定されている。したがって、上記コマ６８は上記大径部６７ａで回転させることができるようになっている。
【００５４】
上記コマ６８の両端部は上記第１のリンク６２の両側壁外面から突出し、その突出端部にはそれぞれ合成樹脂によって成形されたレバー６９がねじ７１によって固定されている。各レバー６９の内面には上記長溝６５ａにスライド自在に係合した第１の突起７２と、上記レバー６９の回転に応じて一対の係合孔６５ｂに選択的に係合する円錐状の第２の突起７３とが設けられている。第２の突起７３は上記レバー６９に切欠き７４を入れることで、上記係合孔６５ｂに弾性的に係脱できるようになっている。
【００５５】
上記コマ６８が上記スライド孔６７の大径部６７ａに位置するとき、上記レバー６９は上記第１の突起７２が長溝６５ａに沿って移動可能な９０度の範囲で回転させることができる。レバー６９がほぼ水平な状態にあるとき、上記コマ６８はスライド孔６７にスライドできない。そのため、その状態では第１のリンク６２に対して第２のリンク６６が上記コマ６８によってスライド不能になっている。この状態を動力切換え機構６１のロック状態とする。
【００５６】
上記レバー６９を水平な状態からほぼ垂直な状態へ９０度回転させると、上記コマ６８が上記スライド孔６７へスライドできる状態となる。したがって、第１のリンク６２に対して上記第２のリンク６６が上記コマ６８とともにスライド可能となる。この状態を動力切換え機構６１の解除状態とする。ロック状態と解除状態とにおいて、第２の突起７３が一対の係合孔６５ｂの一方に弾性的に係合して上記レバー６９が回動不能に保持される。
【００５７】
ロック状態において、上記背上げ機構１８が作動してその第１の回転軸２２が回転すると、その回転が動力伝達機構６１の第１のリンク６２と第２のリンク６６を介して第２の回転軸２３に伝達されるから、この第２の回転軸２３が連動するようになっている。
【００５８】
解除状態においては、第１の回転軸２２が回転して第１のリンク６２がスライドすると、そのスライドによってコマ６８がスライド孔６７をスライドすることで、第１のリンク６２の動きが第２のリンク６６に伝達されないから、第２の回転軸２３は回転しない。つまり、上記動力伝達機構６１は、第１の回転軸２２の回転を上記第２の回転軸２３に伝達したり、遮断できるようになっている。
【００５９】
図２に示すように、上記背上げ機構１８には第１のアーム３２によって起上させられた背上げ部８が急激に倒伏するのを阻止するダンパ機構１０１が設けられている。このダンパ機構１０１はガススプリング１０２を有する。このガススプリング１０２は、一端が第１の回転軸２２に固着されたブラケット１０３に枢着され、他端であるロッド１０２ａの先端には図１３と図１４に示すようにコ字状のコマ１０４が設けられている。このコマ１０４は上記第２の回転軸２３に回転可能に取付けられた連結具１０５に回動可能に連結されている。上記ガススプリング１０２のロッド１０２ａは突出方向へのスライドはほとんど抵抗がなく、没入方向へのスライドには抵抗を呈する。
【００６０】
図１４に示すように、上記連結具１０５はねじ１０６によって分解自在に結合された上部材１０５ａと下部材１０５ｂとからなり、これらの接合面間に上記第２の回転軸２３が回転可能に挿入される取付け孔１０７が形成されている。
【００６１】
上記上部材１０５ａには一対の取付け片１０８が平行に立設されていて、これら取付け片１０８間には上記コマ１０４の内部に入り込む断面コ字状の取付け部１０９が設けられている。
【００６２】
上記取付け片１０８、取付け部１０９及び上記コマ１０４にはそれぞれ通孔１１０が形成され、これらの通孔１１０に挿通された支軸１１１によって上記コマ１０４が上記連結具１０５に連結されている。
【００６３】
上記連結具１０５に連結されたコマ１０４は、わずかに回動するとことで、その中間部の内面１０４ａが取付け部１０９の中間部の外面１０５ｃに接合し、下端面１０４ｂが上部材１０５ａの上面１０５ｄに接合するようになっている。これらの接合によって、連結具１０５が第２の回転軸２３の軸線方向にスライドするのが阻止されるとともに、ロッド１０２ａの進退に上記第２の回転軸２３の軸芯周りで回動するのを阻止している。
【００６４】
したがって、動力伝達機構６１を解除状態にして背上げ機構１８を作動させ、第１の回転軸２２だけを回転させると、第１のアーム３２が上昇方向に回動して背上げ部８を起上させる。このとき、上記ダンパ機構１０１のガススプリング１０２はそのロッド１０２ａがほとんど抵抗なく突出方向にスライドする。
【００６５】
上記背上げ部８が起上した状態で、上記第１の回転軸２２がなんらかの原因で自由に回転できる状態になると、上記背上げ部８は利用者の荷重によって急激に倒伏方向へ回動しようとすることある。しかしながら、この場合、ガススプリング１０２のロッド１０２ａは没入方向へのスライドに対して抵抗を呈するから、上記背上げ部８が急激に倒伏するのを阻止することになる。
【００６６】
上記動力伝達機構６１をロック状態にして背上げ機構１８を作動させると、第１の回転軸２２の回転に対してガススプリング１０２が連動するが、そのロッド１０２ａが連結された連結具１０５は第２の回転軸２３に対して回転しないから、上記第１の回転軸２２の回転が上記ガススプリング１０２を介して第２の回転軸２３に伝達されることがない。
【００６７】
つまり、背上げ部８の急激な倒伏を防止するためにダンパ機構１０１を設けても、そのダンパ機構１０１は上記動力伝達機構６１が解除状態のときに、第１の回転軸２２の回転を第２の回転軸２３に伝えるということがない。
【００６８】
上記載置フレーム５には、この載置フレーム５とによって床板体を構成する載置部材としての簾の子１２０が載置される。この簾の子１２０は図５、図６及び図８に示すように複数本の帯板１２１を備えている。この帯板１２１は下面が開放した中空状であって、内部には補強リブ１２１ａが長手方向と幅方向との全長にわたって設けられている。さらに、帯板１２１は上方に向かって凸状に湾曲形成されている。
【００６９】
各帯板１２１の両端部には合成樹脂によって一側面が開放した箱形状に成形された袋部材１２２が装着されている。この袋部材１２２の長手方向両側の端面にはそれぞれ係合孔１２３ａが穿設された連結片１２３が突設され、上記端面と直交する下面には一端をこの下面に連結した帯状の一対の弾性片１２２ａが一体成形されている。
【００７０】
両端に袋部材１２２が装着された帯板１２１は所定間隔で配置され、隣り合う一対の袋部材１２２はそれぞれ連結部材１２４によって回動可能に連結されている。つまり、連結部材１２４は一対の板材１２４ａ，１２４ｂからなる。
【００７１】
一方の板材１２４ａには先端が錐状で、すり割り溝によって径方向に弾性変形可能に形成された係合部１２５ａを有する一対の係合ピン１２５が突設されている。他方の板材１２４ｂには上記係合ピン１２５が挿入係止可能な一対の係合孔１２６が形成されている。
【００７２】
そして、一方の板材１２４ａに設けられた一対の係合ピン１２５をそれぞれ隣り合う一対の袋部材１２２の連結片１２３の係合孔１２３ａに挿入し、連結片１２３から突出した係合ピン１２５に他方の板材１２４ｂの係合孔１２６挿入し、係合ピン１２５の先端の係合部１２５ａを上記他方の板材１２４ｂの外面から突出させることで、一対の板材１２４ａ，１２４ｂが上記連結片１２３に回動可能に連結される。
【００７３】
上記構成の簾の子１２０は、帯板１２１の長手方向両端部を、上記載置フレーム５の固定部６、腰上げ部７、背上げ部８、第１の脚上げ部１１及び第２の脚上げ部１２の幅方向両側内方に固着された受け部材１３に係合させて載置される。
【００７４】
上記各部６，７，８，１１，１２の受け部材１３には、それぞれ上記連結部材１２４の一対の板材１２４ａ，１２４ｂがなす隙間に入り込む支持ピン１２８が突設されている。それによって、簾の子１２０が載置フレーム５上で、この載置フレーム５の長手方向に沿ってずれ動くのを防止している。
【００７５】
上記簾の子１２０の上面には図３や図７に鎖線で示すようにマットレスＭが載置される。このマットレスＭは、載置フレーム５の背上げ部８や第１、第２の脚上げ部１１，１２の回動上昇に応じて上記簾の子１２０とともに屈曲する柔軟構造になっている。
なお、図示しないが、簾の子１２０の連結部材１２４の一対の板材１２４ａ，１２４ｂの下面にも、袋部材１２２と同様に弾性片を設けるようにしてもよい。
【００７６】
上記構成のベッド装置によれば、床板体を載置フレーム５と簾の子１１０とで構成し、載置フレーム５をパイプ材からなる固定部６、腰上げ部７、背上げ部８、第１の脚上げ部１１及び第２の脚上げ部１２から形成し、その載置フレーム５に複数の帯板１２１を所定間隔で屈曲可能に連結した上記簾の子１２０を載置するようにした。
【００７７】
そのため、比較的大きな中空板状の部材を合成樹脂で成形し、これらの部材を回動可能に連結した従来の床板体に比べ、この発明の床板体を構成する載置フレーム５はパイプ材によって容易に、しかも大型の成形装置などの設備を必要とせずに安価に製作することができ、しかも上記載置フレーム５とで床板体を構成する簾の子１２０も、帯板１２１によって容易かつ安価に形成することができるから、床板体のコストの低減や生産性の向上を図ることが可能となる。
【００７８】
上記背上げ部８の幅方向両側内方に、第１のガイドレール３４を、背上げ部８を構成するパイプ材にブラケット１５によって取付け固定するようにした。
【００７９】
そのため、上記載置フレーム５がパイプ材で形成されていても、背上げ用の第１のアーム３２に設けられた一対の第１のローラ３３を、上記第１のガイドレール３４に当接させることができるから、載置フレーム５がパイプ製であっても、この載置フレーム５を上記第１のローラ３３によって、確実に起伏駆動させることができる。
【００８０】
上記第１、第２のガイドレール３４，３９を載置フレーム５の幅方向内方に設けるようにした。そのため、載置フレーム５の幅寸法をベッドフレーム１の幅寸法とほぼ同じにしても、ベッドフレーム１の幅方向内方に位置する第１、第２のアーム３２，３７に設けられた第１、第２のローラ３３，３８を上記第１、第２のガイドレール３４，３９に接触させることができる。
【００８１】
つまり、載置フレーム５がパイプ製であっても、その幅寸法をベッドフレーム１の幅寸法よりも小さくせずにすむ。言い換えれば、所定の幅寸法の載置フレーム５とするために、ベッドフレーム１の幅寸法を必要以上に大きくせずにすむ。
【００８２】
上記第１のアーム３２には一対の第１のローラ３３を所定間隔で設け、これら第１のローラ３３を保持部材３５によって第１のガイドレール３４に一体的に保持するようにした。
【００８３】
そのため、所定の角度で起立させた背上げ部８の上端に図１に矢印Ａで示す後方向の荷重が加わっても、この背上げ部８が一対の第１のローラ３３のいずれか一方との接触点を支点として腰上げ部７とともに回動するのが阻止される。つまり、背上げ部８を起立させたとき、安定した状態で使用することができる。
【００８４】
上記第１、第２のローラ３３，３８の外周面は凹曲面からなるガイド溝３３ａ，３８ａに形成されている。そのため、第１、第２のローラ３３，３８と第１、第２のガイドレール３４，３９とは接触状態が外れるようなことなく係合するから、各ローラ３３，３８による背上げ部７や第１の脚上げ部１１の起立方向への駆動を確実に行なうことができる。
【００８５】
上記載置フレーム５に載置された簾の子１２０の各袋部材１２の下面には一対の弾性片１２２ａが設けられている。そのため、簾の子１２０は載置フレーム５に弾性的に支持されるから、クッション性能の向上を図ることができる。
【００８６】
上記簾の子１２０の帯板１２１は上方に向かって凸状に湾曲形成されている。そのため、マットレスＭを介して簾の子１２０に加わる荷重に対し、上記帯板１２１は高い剛性を呈することになる。つまり、帯板１２１を凸状に湾曲させることで、この帯板１２１の肉厚を薄くするなどしても、荷重に対して十分な剛性を持たせることができるから、簾の子１２０の軽量化やコストの低減を図ることができる。
【００８７】
上記構成のベッド装置は、図１５と図１６に示すように外装体１３１内に収容して使用されることがある。この外装体１３１は、長手方向一端に設けられたヘッドボード１３２及び３枚の側板１３３によって枠状に形成され、この枠内に上記ベッドフレーム１が収容される。
【００８８】
上記ベッドフレーム１は吊り具１３４によって上記外装体１３１内に吊持される。上記吊り具１３４は帯状板材をほぼクランク状に折曲して形成され、その一端を上記外装体１３１の側板１３３の上端に係合させ、中途部を上記側板１３３の内面に設けられた受け桟１３３ａに係合させるとともに、他端を上記ベッドフレーム１の縦桟２の下面に係合させている。それによって、ベッドフレーム１は上記外装体１３１内に吊持されている。この場合、ベッドフレーム１の四隅部に設けられる脚４は不要となる。
【００８９】
なお、上記吊り具１３４は、外装体１３１の各側辺の全長にわたる長さであってもよく、または枠状であっても差し支えない。枠状の場合、外装体１３１のヘッドボード１３２を側板１３３に代えた方がよい。
【００９０】
このように、ベッドフレーム１を外装体１３１内に収容することで、ベッド装置の外観を向上させることができる。
【００９１】
図１７と図１８はこの発明の第２の実施の形態を示す。この実施の形態は上記一実施の形態とほぼ同じ構成であるが、載置フレーム５Ａの幅寸法をベッドフレーム１の幅寸法よりも小さくした。つまり、載置フレーム５Ａの固定部６をベッドフレーム１に固定したとき、背上げ部８を形成する一対のパイプ材５ａが背上げ機構１８の第１のアーム３２に設けられた一対の第１のローラ３３に転接するようにした。それによって、上記パイプ材５ａが上記一実施の形態の第１のガイドレール３４を兼用させる構成とした。
【００９２】
同様に、第１の脚上げ部１１の一対のパイプ材１１ａに第２のローラ３８を転接させ、上記パイプ材１１ａが第２のガイドレール３９を兼用するようにした。
【００９３】
なお、ベッドフレーム１の一対の縦桟２の中途部内面には、載置フレーム５Ａの固定部６を取付け固定するためのブラケット１４０が設けられている。
【００９４】
このような構成によれば、載置フレーム５と別部品の第１、第２のガイドレール３４，３９が不要となるから、その分、部品点数を少なくすることができる。
【００９５】
図１９はこの発明の第３の実施の形態を示す。この実施の形態は載置フレーム５に設けられる載置部材として第１の実施の形態に示された簾の子１２０に代わり、網状部材としての線材を格子状に組んだネット１４１を設けるようにした。
【００９６】
つまり、ネット１４１の周縁部のうち、両側を載置フレーム５の幅方向内側に設けられた受け部材１３に固着し、長手方向一端を背上げ部８の連結部材９に固着する。第２の脚上げ部１２の内側端にはアングル材１４２を取付け、このアングル材１４２に上記ネット１４１の長手方向他端を固着する。それによって、載置フレーム５にマットレスＭを載置することができる。
【００９７】
なお、載置部材としては簾の子やネットに限られず、メッシュや板材であってもよく、屈曲不能な剛体からなる板材を用いる場合、この板材を載置フレーム５の各部分ごとに分割して設けるようにすればよい。
【００９８】
図２０と図２１はこの発明の第４の実施の形態を示す。この実施の形態は第１、第２の実施の形態と載置フレームの構成が異なる。すなわち、この第３の実施の形態の載置フレーム５Ａは固定部６の一端に背上げ部８が直接回動可能に連結され、他端には第１の脚上げ部１１と第２の脚上げ部１２とが順次回動可能に連結されている。つまり、第１、第２の実施の形態では、載置フレーム５は５分割されていたが、この第４の実施の形態では４分割となっている。
【００９９】
上記背上げ部８を起上させる背上げアームとしての第１のアーム３２の先端部には第１のローラ３３が１つだけ設けられ、さらに第１のガイドレール３４には第１のローラ３３がガイドレール３４から離れるのを防止する保持部材３５は設けられていない。
【０１００】
つまり、載置フレーム５Ａが４分割であり、背上げ部８が固定部６に直接連結されているため、起上した背上げ部８に利用者が寄り掛かっても、この背上げ部８が後方へ回動することがない。したがって、第１のアーム３２に２つの第１のローラ３３を設けたり、第１のローラ３３が第１のガイドレール３４から離れるのを防止する保持部材３５が不要となる。
【０１０１】
上記一対の第１のアーム３２の基端部には棒材をコ字状に曲成した検知部材２０１の両端部が回動可能に支持されている。つまり、検知部材２０１の両端部はＬ字状に折曲され、その部分が第１のアーム３２の基端部に形成された係止孔（図示せず）に回動可能に挿入されている。この検知部材２０１の中途部には一端部がコ字状に折曲された連動部材２０２の他端部が固着されている。
【０１０２】
一対の第１のアーム３２の先端部には、各アーム３２に設けられた第１のローラ３３の支持軸を兼ねる連結軸２０３が架設されている。この連結軸２０３の中途部に上記連動部材２０２の一端部が係合している。それによって、検知部材２０１は上記第１のアーム３２の回動に連動するようになっており、第１のアーム３２が下降方向に回動するとき、上記検知部材２０１の下降方向の回動が阻止されるとこの検知部材２０１は第１のアーム３２の回動に対して相対的に上方へ変位することになる。
【０１０３】
上記連動部材２０２の内面にはリミットスイッチ２０４が設けられている。上記第１のアーム３２が下降方向に回動しているとき、通常は図２１（ａ），（ｃ）のようにリミットスイッチ２０４は作動していないが、図２１（ｂ）に示すように検知部材２０１或いは連動部材２０２が障害物２０５に当たると、検知部材２０１が上記アーム３２の下降方向の回動に対して相対的に上昇方向に変位し、その変位に連動部材２０２が連動する。つまり、検知部材２０１の下降が停止し、連結軸２０３が下降する。
【０１０４】
それによって、連動部材２０２の内面に設けられたリミットスイッチ２０４のレバー２０６が連結軸２０３に押圧されて作動するから、障害物２０５が存在することが検知される。したがって、リミットスイッチ２０４の作動信号によって第１のアーム３２の下降方向への回動を停止すれば、障害物２０５を押し潰したり、背上げ部８や第１のアーム３２などが損傷するのを防止できる。リミットスイッチ２０４が作動したとき、その信号によって第１のアーム３２の下降方向への回動を停止するだけでなく、上昇方向へ回動させるようにしてもよい。
【０１０５】
このような構成のベッド装置によれば、載置フレーム５を４分割にしたことで、構成の簡略化を図ることができる。また、背上げ部８を下降させているときに障害物２０５に当たると変位する検知部材２０１及びこの検知部材２０１の変位によって作動するリミットスイッチ２０４を設けたことで、安全性を向上させることができる。
【０１０６】
なお、この第４の実施の形態において、上記第１の実施の形態と同一部分には同一記号を付して説明を省略するが、上記第１の実施の形態とは上述した構成の他に、動力切換え機構６１とダンパ機構１０１とが背上げ機構１８の一側側に設けられているという点でも相違している。
【０１０７】
この発明において、載置フレームに載置される簾の子の構成は限定されるものでなく、要は長手方向においては背上げ部や脚上げ部の上昇に応じて屈曲する柔軟性を有し、幅方向においてはマットレスを介して加わる利用者の荷重を受ける剛性を備えた構成であればよい。
【０１０８】
【発明の効果】
以上のようにこの発明によれば、床板体を載置フレームと簾の子とから構成し、載置フレームをパイプ材によって形成し、この載置フレームに上記背上げ部の回動によって屈曲可能な簾の子を保持するようにした。
【０１０９】
そのため、載置フレームや簾の子を製作し易い簡単な構成にできるから、コストの低減を図ることが可能となる。
【図面の簡単な説明】
【図１】この発明の第１の実施の形態を示すベッド装置の簾の子を除去して背上げ部を起上させた状態の斜視図。
【図２】ベッドフレームと載置フレームとの分解斜視図。
【図３】背上げ機構によって載置フレームの背上げ部及び脚上げ部を上昇させた状態を示す側面図。
【図４】第１のガイドレール及びこのガイドレールに取付けられる保持部材の斜視図。
【図５】簾の子の斜視図。
【図６】（ａ）は簾の子の一部を示す側面図、（ｂ）は同じく一部断面した平面図。
【図７】ベッドフレームの幅方向に沿う断面図。
【図８】載置フレームに載置された簾の子の一部を示す平面図。
【図９】背上げ機構の回転軸をベッドフレームに取付ける受け部の斜視図。
【図１０】（ａ）は背上げ機構の正面図、（ｂ）は平面図。
【図１１】（ａ）は動力伝達機構の一部断面した平面図、（ｂ）は図１１（ａ）のＡ−Ａ線に沿う断面図、（ｃ）は第１のリンクの正面図。
【図１２】動力伝達機構の分解斜視図。
【図１３】ダンパ機構の連結具の斜視図。
【図１４】ダンパ機構の連結具の断面図。
【図１５】ベッドフレームを外装体内に収容した斜視図。
【図１６】外装体に収容されたベッド装置の幅方向に沿う断面図。
【図１７】この発明の第２の実施の形態を示すベースフレームと載置フレームとの分解斜視図。
【図１８】ベッド装置の幅方向に沿う断面図。
【図１９】この発明の第３の実施の形態を示す載置フレームの斜視図。
【図２０】この発明の第４の実施の形態を示すベッド装置の簾の子を除去して背上げ部を起上させた状態の斜視図。
【図２１】（ａ）は検知部材が障害物に当たっていないときの図、（ｂ）は検知部材が障害物に当たってリミットスイッチが作動したときの図、（ｃ）は検知部材と連結軸とを相対的に変位可能に連結した連結部材の正面図。
【符号の説明】
１…ベッドフレーム
５…載置フレーム
６…固定部
７…腰上げ部
８…背上げ部
１８…背上げ機構
１９…駆動部
３２…第１のアーム
３３…第１のローラ
３４…第１のガイドレール
３５…保持部材
１２０…簾の子（載置部材）
１２１…帯板
１２２…袋部材
１２４…連結部材
【図１】
2004000444.tif 000003
【図２】
2004000444.tif 000004
【図３】
2004000444.tif 000005
【図４】
2004000444.tif 000006
【図５】
2004000444.tif 000007
【図６】
2004000444.tif 000008
【図７】
2004000444.tif 000009
【図８】
2004000444.tif 000010
【図９】
2004000444.tif 000011
【図１０】
2004000444.tif 000012
【図１１】
2004000444.tif 000013
【図１２】
2004000444.tif 000014
【図１３】
2004000444.tif 000015
【図１４】
2004000444.tif 000016
【図１５】
2004000444.tif 000017
【図１６】
2004000444.tif 000018
【図１７】
2004000444.tif 000019
【図１８】
2004000444.tif 000020
【図１９】
2004000444.tif 000021
【図２０】
2004000444.tif 000022
【図２１】
2004000444.tif 000023